【手続補正書】
【提出日】平成30年12月7日(2018.12.7)
【手続補正１】
【補正対象書類名】特許請求の範囲
【補正対象項目名】全文
【補正方法】変更
【補正の内容】
【特許請求の範囲】
【請求項１】
睡眠セッション中に被験者の徐波睡眠を検出するシステムであって、
前記被験者の心臓活動又は前記被験者の呼吸活動のうちの１つ又は両方に関係する情報と、
前記被験者に関係する睡眠ポリグラフィ情報と、
を伝達する出力信号を生成する１つ又は複数のセンサと、
前記出力信号に基づいて前記睡眠セッション中に前記被験者の１つ又は複数の心肺パラメータを経時的に決定し、前記心肺パラメータは前記被験者の前記心臓活動及び／又は前記被験者の前記呼吸活動に関係した１つ又は複数のパラメータを含み、
前記出力信号に基づいて前記睡眠セッション中に前記被験者の１つ又は複数の睡眠ポリグラフィパラメータを経時的に決定し、前記１つ又は複数の睡眠ポリグラフィパラメータは心臓の鼓動、眼球運動、又は骨格筋活性化のパラメータを含み、
前記被験者の徐波睡眠の開始を示す前記心肺パラメータの経時的な変化を検出し、
前記心肺パラメータの前記検出された変化に基づいて、前記被験者の徐波睡眠の来たるべき開始時間を予測し、
予測された前記開始時間及び前記睡眠ポリグラフィパラメータに基づいて前記被験者の徐波睡眠を検出し、当該検出は前記予測された開始時間に続く時間帯中はより感度が高くなるための、
コンピュータ可読命令によって設定された１つ又は複数の物理的コンピュータプロセッサと、
を含む、システム。
【請求項２】
前記１つ又は複数の物理的コンピュータプロセッサは、前記予測された開始時間及び前記睡眠ポリグラフィパラメータに基づいて前記被験者の徐波睡眠を検出することが、前記予測された開始時間に続く前記時間帯中の検出を可能にすることを含む、請求項１に記載のシステム。
【請求項３】
前記１つ又は複数の物理的コンピュータプロセッサは、前記来たるべき開始時間が、前記被験者の徐波睡眠の開始を示す前記心肺パラメータの前記変化が検出された時間と、前記被験者の徐波睡眠が始まる時間との間の時間遅延である、請求項１に記載のシステム。
【請求項４】
前記１つ又は複数の物理的コンピュータプロセッサが更に、
被験者の母集団についてのベースライン開始時間遅延情報を取得し、前記ベースライン開始時間遅延情報は、被験者の前記母集団についての心肺パラメータの変化時間と徐波睡眠の開始時間との間の総計時間量を示し、
前記心肺パラメータの検出された前記変化及び前記ベースライン開始時間遅延情報に基づいて、前記被験者の徐波睡眠の前記来たるべき開始時間を予測する、請求項１に記載のシステム。
【請求項５】
前記１つ又は複数の物理的コンピュータプロセッサは、前記被験者の徐波睡眠の開始を示す前記心肺パラメータの経時的な前記変化が、前記心肺パラメータに対する対応する徐波睡眠開始閾値を突破する前記心肺パラメータの変化を含み、前記徐波睡眠開始閾値は１つ若しくは複数の所定の閾値及び／又は前記被験者の以前の睡眠に基づいて決定される１つ若しくは複数の閾値を含む、請求項１に記載のシステム。
【請求項６】
前記１つ又は複数の物理的コンピュータプロセッサが更に、
前記被験者の徐波睡眠の終了を示す前記心肺パラメータの経時的な変化を検出し、
徐波睡眠の前記終了を示す前記心肺パラメータの前記検出された変化に基づいて、前記被験者の徐波睡眠の来たるべき終了時間を予測し、
前記予測された終了時間及び前記睡眠ポリグラフィパラメータに基づいて前記被験者の非徐波睡眠を検出し、非徐波睡眠の検出は前記予測された終了時間に続く時間帯中はより感度が高くなる、請求項１に記載のシステム。
【請求項７】
検出システムを用いて睡眠セッション中に被験者の徐波睡眠を検出するための方法であって、前記検出システムは１つ又は複数のセンサ及び１つ又は複数の物理的コンピュータプロセッサを備え、前記方法は、
前記被験者の心臓活動又は前記被験者の呼吸活動のうちの１つ又は両方に関係する情報と、
前記被験者に関係する睡眠ポリグラフィ情報と、
を伝達する出力信号を、前記１つ又は複数のセンサを用いて生成するステップと、
前記１つ又は複数の物理的コンピュータプロセッサを用いて、前記出力信号に基づいて前記睡眠セッション中に前記被験者の１つ又は複数の心肺パラメータを経時的に決定するステップであって、前記心肺パラメータは前記被験者の前記心臓活動及び／又は前記被験者の前記呼吸活動に関係した１つ又は複数のパラメータを含むステップと、
前記１つ又は複数の物理的コンピュータプロセッサを用いて、前記出力信号に基づいて前記睡眠セッション中に前記被験者の１つ又は複数の睡眠ポリグラフィパラメータを経時的に決定するステップであって、前記１つ又は複数の睡眠ポリグラフィパラメータは心臓の鼓動、眼球運動、又は骨格筋活性化のパラメータを含むステップと、
前記１つ又は複数の物理的コンピュータプロセッサを用いて、前記被験者の徐波睡眠の開始を示す前記心肺パラメータの経時的な変化を検出するステップと、
前記１つ又は複数の物理的コンピュータプロセッサを用いて、前記心肺パラメータの前記検出された変化に基づいて、前記被験者の徐波睡眠の来たるべき開始時間を予測するステップと、
前記１つ又は複数の物理的コンピュータプロセッサを用いて、前記予測された開始時間及び前記睡眠ポリグラフィパラメータに基づいて前記被験者の徐波睡眠を検出するステップと
を含み、前記検出するステップは前記予測された開始時間に続く時間帯中はより感度が高くなる、方法。
【請求項８】
前記予測された開始時間及び前記睡眠ポリグラフィパラメータに基づいて前記被験者の徐波睡眠を検出するステップは、前記予測された開始時間に続く前記時間帯中の検出を可能にすることを含む、請求項７に記載の方法。
【請求項９】
前記来たるべき開始時間は、前記被験者の徐波睡眠の開始を示す前記心肺パラメータの前記変化が検出された時間と、前記被験者の徐波睡眠が始まる時間との間の時間遅延である、請求項７に記載の方法。
【請求項１０】
前記１つ又は複数の物理的コンピュータプロセッサを用いて、被験者の母集団についてのベースライン開始時間遅延情報を取得するステップであって、前記ベースライン開始時間遅延情報は、被験者の前記母集団についての心肺パラメータの変化時間と徐波睡眠の開始時間との間の総計時間量を示すステップと、
前記１つ又は複数の物理的コンピュータプロセッサを用いて、前記心肺パラメータの前記検出された変化及び前記ベースライン開始時間遅延情報に基づいて、前記被験者の徐波睡眠の前記来たるべき開始時間を予測するステップと
を更に含む、請求項７に記載の方法。
【請求項１１】
前記被験者の徐波睡眠の開始を示す前記心肺パラメータの経時的な前記変化が、前記心肺パラメータに対する対応する徐波睡眠開始閾値を突破する前記心肺パラメータの変化を含み、前記徐波睡眠開始閾値は１つ若しくは複数の所定の閾値及び／又は前記被験者の以前の睡眠に基づいて決定される１つ若しくは複数の閾値を含む、請求項７に記載の方法。
【請求項１２】
前記１つ又は複数の物理的コンピュータプロセッサを用いて、前記被験者の徐波睡眠の終了を示す前記心肺パラメータの経時的な変化を検出するステップと、
前記１つ又は複数の物理的コンピュータプロセッサを用いて、徐波睡眠の前記終了を示す前記心肺パラメータの前記検出された変化に基づいて、前記被験者の徐波睡眠の来たるべき終了時間を予測するステップと、
前記１つ又は複数の物理的コンピュータプロセッサを用いて、前記予測された終了時間及び前記睡眠ポリグラフィパラメータに基づいて前記被験者の非徐波睡眠を検出するステップとを更に含み、非徐波睡眠の検出は前記予測された終了時間に続く時間帯中はより感度が高くなる、請求項７に記載の方法。
【請求項１３】
睡眠セッション中に被験者の徐波睡眠を検出するためのシステムであって、
前記被験者の心臓活動又は前記被験者の呼吸活動のうちの１つ又は両方に関係する情報と、
前記被験者に関係する睡眠ポリグラフィ情報と、
を伝達する出力信号を生成するための手段と、
前記出力信号に基づいて前記睡眠セッション中に前記被験者の１つ又は複数の心肺パラメータを経時的に決定するための手段であって、前記心肺パラメータは前記被験者の前記心臓活動及び／又は前記被験者の前記呼吸活動に関係した１つ又は複数のパラメータを含む手段と、
前記出力信号に基づいて前記睡眠セッション中に前記被験者の１つ又は複数の睡眠ポリグラフィパラメータを経時的に決定するための手段であって、前記１つ又は複数の睡眠ポリグラフィパラメータは心臓の鼓動、眼球運動、又は骨格筋活性化のパラメータを含む手段と、
前記被験者の徐波睡眠の開始を示す前記心肺パラメータの経時的な変化を検出するための手段と、
前記心肺パラメータの検出された前記変化に基づいて、前記被験者の徐波睡眠の来たるべき開始時間を予測するための手段と、
前記予測された開始時間及び前記睡眠ポリグラフィパラメータに基づいて前記被験者の徐波睡眠を検出するための手段とを含み、前記検出は前記予測された開始時間に続く時間帯中はより感度が高くなる、システム。
【請求項１４】
前記予測された開始時間及び前記睡眠ポリグラフィパラメータに基づいて前記被験者の徐波睡眠を検出することは、前記予測された開始時間に続く前記時間帯中の検出を可能にすることを含む、請求項１３に記載のシステム。
【請求項１５】
前記来たるべき開始時間は、前記被験者の徐波睡眠の開始を示す前記心肺パラメータの前記変化が検出された時間と、前記被験者の徐波睡眠が始まる時間との間の時間遅延である、請求項１３に記載のシステム。